(57)【特許請求の範囲】
【請求項１】
正面板と、背面板と、それらの左右端部に接続する左側面板と右側面板、前記背面板の上端部に接続する上蓋と、該上蓋の前記背面板と反対側の端部に接続する覆い片を有する包装箱であって、
前記覆い片は縦方向に設けられた少なくとも２本の分割切れ線により、中央覆い片と２つ以上の側部覆い片に分割され、前記中央覆い片内には、前記上蓋方向に凸の凸状切れ線により、凸状フック片が形成され、前記正面板の上部には、横方向の横方向切れ線が、前記中央覆い片を差し込めるように設けられ、前記横方向切れ線の中間部分より２本の縦方向切れ線が前記正面板の上端部方向に向けて設けられ、前記横方向切れ線に差し込んだ前記中央覆い片の前記凸状フック片を係止できるように、前記２本の縦方向切れ線により正面板側フック片が設けられ、そして、前記横方向切れ線の両端部より、それぞれ易切断線が前記正面板の上端部方向に向けて設けられ、
前記横方向切れ線の中央部分を上端縁とする開孔部を設けたことを特徴とする包装箱。
【発明の詳細な説明】
【技術分野】
【０００１】
本発明は、包装箱に関するものである。
【背景技術】
【０００２】
従来から、菓子食品類や医薬品や化粧品、玩具類、日用品などを収納して、収納された商品を保護し輸送するために、包装箱が広く用いられている。このために同じ包装形態の包装箱との差別化を計るために包装箱の表面に綺麗な印刷を施したり、あるいは光沢や艶をだし、さらに箔押し加工あるいは植毛加工等を施したりして、美粧性や装飾性の向上が計られてきた。
【０００３】
また、これらの包装箱は、店頭などで陳列され、自由に手に取ることができるようにして販売されていることが多い。そのため、悪意のある開封によって収納された商品に異物の注入や改変が行われることがある。このような不正開封を防止するために、開封部にラベルを貼着する方法、開封部を再貼着できない接着剤などを用いて貼着する方法などがある。
【０００４】
開封部を再貼着できない接着剤などを用いて貼着する方法では、例えば、図５の展開図、図６の斜視で示した説明図、図７の開封した状態を部分的に斜視で示した説明図にあるような包装箱がある。
【０００５】
この包装箱は、正面板１の中央部上下に舌片１７、１７´が区画され、上方の舌片１７の基部に舌片１７の基端を結ぶミシン目１８が穿設され、背面板４の上下に延設された上蓋６および下蓋６´の先端に設けた差し込み片１９、１９´のそれぞれに嵌入用切目２０、２０´が穿設され、嵌入用切目２０、２０´より先端の外面にホットメルト用接着剤２１、２１´が塗布されている。
【０００６】
このホットメルト用接着剤２１、２１´が塗布されている差し込み片１９、１９´をそれぞれ正面板１の内面に差し込み、舌片１７、１７´を嵌入用切目２０、２０´に挿嵌し、差し込み片１９、１９´と正面板１とをホットメルト用接着剤２１、２１´により接着してなる包装箱である。
【０００７】
この包装箱を開封するには、舌片１７の基端を結ぶミシン目１８が切断されるように包装箱の内方に押し込む、ミシン目１８が切断されると、ミシン目１８から舌片１７寄りの部分はホットメルト用接着剤２１で差し込み片１９に接着されているので、差し込み片１９に接着されたまま正面板１から切り離される。これによって差し込み片１９を正面板１の内方から引き出して上蓋６を図７のように開けることができる（特許文献１）。
【０００８】
また、一方、ラベルやホットメルト用接着剤などのほかの素材を用いる手間や、設備を必要とすることなく、シート材料のみで構成した不正開封を防止した包装箱がある。例えば、図８にあるような包装箱がある。
【０００９】
図８（Ａ）は、組み立てる状態を斜視で示した説明図である。（Ｂ）は、包装箱を斜視で示した説明図である。（Ｃ）は、包装箱を開封した状態を斜視で示した説明図である。
【００１０】
この包装箱は、正面板１、背面板４、側面板２，３、上蓋６、より構成される包装箱で、上蓋６の先端に切込溝２２を有する差し込み片１９を連設し、かつ正面板１の上下端中央部を所定形状に切除することによって、左右両端に耳片２３を突設し、かつ首部に切取ミシン目線２４を有し、差し込み片１９の切込溝２２に嵌入係止得る係止突起２５を形成してなる包装箱がある。
【００１１】
この包装箱を開封するには、差し込み片１９を正面板１の内方から引き出すことによって、切取ミシン目線２４を切断して、係止突起２５を正面板１から切り離す。これによって、差し込み片１９を正面板１の内方から引き出すことができ、上蓋６を図８（Ｃ）のように開けることができる（特許文献２）。
【００１２】
公知文献を以下に示す。
【先行技術文献】
【特許文献】
【００１３】
【特許文献１】実開昭６３−９９８２３号公報
【特許文献２】実開昭５７−７７１１５号公報
【発明の概要】
【発明が解決しようとする課題】
【００１４】
上記、特許文献１では、ホットメルト接着剤が塗布された差し込み片を正面板の内面に差し込み、差し込み片と正面板とを接着するとき、ホットメルト接着剤が溶融している状態で差し込むと、ホットメルト接着剤が余計なところに付着する恐れがあるし、ホットメルト接着剤が固化している状態で差し込むと、再度、加熱して溶融させる必要があり、余計な工程が必要となる。
【００１５】
また、特許文献２においては、開封するときに係止突起を切取ミシン目線より破断して、この破断された係止突起により、開封されたことがわかるようになっている。しかし、切取ミシン目線を破断することなく、切込溝から係止突起を抜くこともできないことはなく、未開封であることを保障するには不安があった。
【００１６】
本発明は上記した事情に鑑みてなされたもので、ラベルや接着剤などのほかの素材を用いることなく、開封することによって、確実に包装箱の一部が破断され、不正に開封されたことが確認できる包装箱を提供することを課題としている。
【課題を解決するための手段】
【００１７】
本発明は上記課題に鑑みなされたものであり、請求項１に係る発明は、正面板と、背面板と、それらの左右端部に接続する左側面板と右側面板、前記背面板の上端部に接続する上蓋と、該上蓋の前記背面板と反対側の端部に接続する覆い片を有する包装箱であって、
前記覆い片は縦方向に設けられた少なくとも２本の分割切れ線により、中央覆い片と２つ以上の側部覆い片に分割され、前記中央覆い片内には、前記上蓋方向に凸の凸状切れ線により、凸状フック片が形成され、前記正面板の上部には、横方向の横方向切れ線が、前記中央覆い片を差し込めるように設けられ、前記横方向切れ線の中間部分より２本の縦方向切れ線が前記正面板の上端部方向に向けて設けられ、前記横方向切れ線に差し込んだ前記中央覆い片の前記凸状フック片を係止できるように、前記２本の縦方向切れ線により正面板側フック片が設けられ、そして、前記横方向切れ線の両端部より、それぞれ易切断線が前記正面板の上端部方向に向けて設けられ、
前記横方向切れ線の中央部分を上端縁とする開孔部を設けたことを特徴とする包装箱。
である。
【００１８】
本発明の包装箱は、以上のような構成であって、横方向切れ線に差し込まれた中央覆い片を抜こうとしても、中央覆い片内に形成された凸状フック片が正面板側フック片に係止されているので、抜くことができない。
【００１９】
開封するために抜こうとすれば、覆い片の分割切れ線およびその上蓋方向が破断され、または、正面板の横方向切れ線の両端部より設けられた易切断線が破断するなど、確実に破断される。この破断されることによって、不正に開封されても、開封されたことを確認することができる。また、ラベルや接着剤などのほかの素材を用いることなく、不正に開封されたことが確認できる。
【００２０】
本発明は、横方向切れ線の中央部分を上端縁とする開孔部を設けたので、包装箱を閉鎖するときに、凸状フック片を正面板側フック片の内方に押し込むときに、開孔部に正面板がないので、押し込む指などが正面板に当たって押し込みにくくならないので、凸状フック片を正面板側フック片に係止しやすい。
【００２１】
また、開封するときには、この開孔部とその上部を指で押すことによって、覆い片の分割切れ線およびその上蓋方向を破断し、正面板の横方向切れ線の両端部よりもうけられた易切断線を破断して容易に開封することができる。
【発明の効果】
【００２２】
本発明の包装箱は、ラベルや接着剤などのほかの素材を用いることなく、不正に開封しようとしても、確実に包装箱の一部が破断され、不正に開封されたことが確認することができる。また、開封するときは、容易に破断して開封することができる。
【図面の簡単な説明】
【００２３】
【図１】本発明の包装箱の一例の展開図である。
【図２】本発明の包装箱の一例を組み立てる状態を正面で示した説明図である。（Ａ）は、ブランクよりサック状にした状態である。（Ｂ）は、サック状から上蓋と覆い片を倒し中央覆い片を横方向切れ線に差し込んだ状態である。
【図３】本発明の包装箱の一例を組み立てる時の凸状フック片と正面板側フック片の位置関係を示す左側からの断面で見た説明図である。（Ａ）中央覆い片を横方向切れ線より、差し込んだ状態。（Ｂ）凸状フック片を正面板側フックで係止した状態。
【図４】（Ａ）本発明の包装箱の一例を模式的に正面で示した説明図である。（Ｂ）本発明の包装箱の一例を模式的に左側面で示した説明図である。
【図５】従来の包装箱の一例の展開図である。
【図６】従来の包装箱の一例を模式的に斜視で示した説明図である。
【図７】従来の包装箱の一例を開封した状態を部分的に斜視で示した説明図である。
【図８】（Ａ）従来の包装箱の他の例を組み立てる状態を斜視で示した説明図である。（Ｂ）従来の包装箱の他の例を模式的に斜視で示した説明図である。（Ｃ）従来の包装箱の他の例を開封した状態を斜視で示した説明図である。
【発明を実施するための形態】
【００２４】
以下本発明を実施するための形態につき説明する。
図１は、本発明の包装箱の一例の展開図である。
本発明の一例の包装箱１００は、図１の展開図のようなブランク１０１を組み立てて作成する。
【００２５】
ブランク１０１には、正面板１の右側に右側面板２、左側に左側面板３が連設され、左側面板３の左側には背面板４と糊代片５が順次設けられている。背面板４の上端には上蓋６が設けられ、更に上蓋６の上端には、覆い片７が設けられている。
【００２６】
覆い片７は、縦方向に設けられた２本の分割切れ線８、８により、中央覆い片７aと２つの側部覆い片７ｂ、７ｂに分割され、中央覆い片７ａ内には、上蓋６方向に凸の凸状切
れ線９により、凸状フック片１０が形成され、また、凸状切れ線９の両端部近傍から凸状折罫９ａが上蓋６と逆方向の凸に設けられている。そして、正面板１の上部には、横方向の横方向切れ線１１が、中央覆い片７ａを差し込めるように設けられている。
【００２７】
横方向切れ線１１の中間部分より２本の縦方向切れ線１２、１２が正面板１の上端部方向に向けて設けられ、２本の縦方向切れ線１２、１２により、その間に正面板側フック片１３が設けられ、そして、横方向切れ線１１の両端部より、それぞれ易切断線１４、１４が正面板１の上端部方向に向けて設けられている。また、横方向切れ線１１の下側には、横方向切れ線１１の中央部分を上端縁とする開孔部１５が設けられている。
【００２８】
右側面板２と左側面板３のそれぞれの上端部、下端部にフラップ１６、１６、１６、１６が設けられている。また、正面板１の下端には下蓋６´が設けられ、更に下蓋６´の下端には、覆い片７´が設けられている。
【００２９】
覆い片７´は、縦方向に設けられた２本の分割切れ線８´、８´により、中央覆い片７a´と２つの側部覆い片７ｂ´、７ｂ´に分割され、中央覆い片７ａ´内には、下蓋６´方向に凸の凸状切れ線９´により、凸状フック片１０´が形成され、また、凸状切れ線９´の両端部近傍から凸状折罫９ａ´が下蓋６´と逆方向の凸に設けられている。そして、背面板４の下部には、横方向の横方向切れ線１１´が、中央覆い片７ａ´を差し込めるように設けられている。
【００３０】
横方向切れ線１１´の中間部分より２本の縦方向切れ線１２´、１２´が背面板４の下端部方向に向けて設けられ、２本の縦方向切れ線１２´、１２´により、その間に背面板側フック片１３´が設けられ、そして、横方向切れ線１１´の両端部より、それぞれ易切断線１４´、１４´が背面板４の下端部方向に向けて設けられている。
【００３１】
図２は、本発明の包装箱の一例を組み立てる状態を正面で示した説明図である。（Ａ）は、ブランクよりサック状に組み立てた図である。（Ｂ）は、サック状から上蓋６と覆い片７を倒し中央覆い片を横方向切れ線に差し込んだ状態の図である。図３は、本発明の包装箱の一例を組み立てる時の凸状フック片と正面板側フック片の位置関係を示す左側からの断面で見た説明図である。（Ａ）中央覆い片を横方向切れ線より、差し込んだ状態、（Ｂ）凸状フック片を正面板側フックで係止した状態である。
【００３２】
本例の包装箱を組み立てるには、まず、背面板４と糊代片５の間を山折し、左側面板３と正面板１の間を山折し、右側面板２の内面と糊代片５の外面とを接着剤などを介して貼着する。貼着後、背面板４と左側面板３の間を山折し、また、正面板１と右側面板２の間を山折し、図２（Ａ）の正面図のような筒状のサックとする。
【００３３】
次に、右側面板２と左側面板３の上部に連設されたフラップ１６、１６を内方に倒す。続いて、上蓋６と覆い片７を倒して、正面板１に覆い片７が被さるようにする。そして、中央覆い片７ａを先端から横方向切れ線１１に差し込む。
【００３４】
横方向切れ線１１に差し込んだときに、分割切れ線８、８は、覆い片７の先端から横方向切れ線１１まで実線状に切れていて、破けることなく差し込むことができるようになっている。
【００３５】
また、分割切れ線８、８は、横方向切れ線１１より上蓋６寄りでは、未切断部を有する破線状に設けられている。このように、中央覆い片７ａを横方向切れ線１１に差し込むと、図２（Ｂ）のように凸状フック片１０の先端が横方向切れ線１１の上方に見えている。
【００３６】
次に、下蓋６´側も同様に、右側面板２と左側面板３の上部に連設されたフラップ１６、１６を内方に倒す。続いて、下蓋６´と覆い片７´を倒して、正面板１の下部に覆い片７´が被さるようにする。そして、中央覆い片７ａ´を先端から横方向切れ線１１´に差し込む。
【００３７】
この状態では、中央覆い片７ａの横方向切れ線１１より先の部分は正面板１の包装箱１００の内方になっているが、図３（Ａ）のように、正面板１の横方向切れ線１１より上の部分は、中央覆い片７ａより内方になっているので、中央覆い片７ａを横方向切れ線１１より抜き出して、開封することが容易にできる。
【００３８】
次に、凸状フック片１０の先端を内方に押し込み、図３（Ｂ）のように、正面板側フック片１３より内方になるようにして、凸状フック片１０を正面板側フック片１３に係止する。このとき、横方向切れ線１１の中央部分を上端縁とする開孔部１５が設けられているので、指先などで凸状フック片１０の先端を内方に押し込むとき、指が正面板１に当たって邪魔になることがなく、簡単に押し込むことができる。
【００３９】
また、凸状折罫９ａを設けてあるので、凸状折罫９ａで凸状フック片１０を曲げて先端を押し込みやすい。同様に下蓋側も同様にして、凸状フック片１０´の先端を内方に押し込み、背面板側フック片１３´より内方になるようにする。
【００４０】
以上のようにして、図４（Ａ）（Ｂ）のように、本例の包装箱１００が出来上がる。組み立てて出来上がった本例の包装箱１００は、横方向切れ線１１、１１´より、中央覆い片７a、７a´が正面板１の内方に差し込まれていて、凸状フック片１０、１０´が、正面板側フック片１３や背面板側フック片１３´より内方に押し込み係止されているので、中央覆い片７a、７a´を横方向切れ線１１、１１´から抜こうとしても、破断することなく抜くことはできない。
【００４１】
例えば中央覆い片７ａを横方向切れ線１１から抜こうとすれば、覆い片７の分割切れ線８、８およびその上蓋６方向が破断し、または、正面板１の横方向切れ線１１の両端部より設けられた易切断線１４、１４が破断するなど、開封することによって、確実に破断され、不正に開封されたことを確認することができる。また、ラベルや接着剤などのほかの素材を用いることなく、不正に開封されたことが確認できる
本例の包装箱１００を開封するには、中央覆い片７ａの外面側から、正面板１の横方向切れ線１１より上側を、指などで包装箱１００の内方に押し込む。覆い片７の分割切れ線８、８が破断され、また、正面板１の易切断線１４、１４が破断される。
【００４２】
これにより、凸状フック片１０を係止していた正面板側フック片１３が、横方向切れ線１１と易切断線１４、１４で囲まれていた領域ごと、取れてしまう。そのため、中央覆い片７ａが横方向切れ線１１より抜き出すことができるようになり、覆い片７および上蓋６が持ち上げられ、開封することができる。
【００４３】
本例においては、上蓋６側と下蓋６´側を同様の係止構造としたが、上蓋６側だけを開封するのであれば、下蓋６´側は別の構造として、例えば、接着剤を用いて差込片を接着させたり、または、サック状から起こして長方体にしたときに底が形成される構造としたりしてもよく、下蓋６´側の構造は、破断して開封が確認できる構造であれば、本例の包装箱の構造に限定されない。
【符号の説明】
【００４４】
１００・・・包装箱
１０１・・・ブランク
１・・・正面板
２・・・右側面板
３・・・左側面板
４・・・背面板
５・・・糊代片
６・・・上蓋
６´・・・下蓋
７、７´・・・覆い片
７a、７a´・・・中央覆い片
７ｂ、７ｂ、７ｂ´、７ｂ´・・・側部覆い片
８、８、８´、８´・・・分割切れ線
９、９´・・・凸状切れ線
９ａ、９ａ´・・・凸状折罫
１０、１０´・・・凸状フック片
１１、１１´・・・横方向切れ線
１２、１２、１２´、１２´・・・縦方向切れ線
１３・・・正面板側フック片
１３´・・・背面板側フック片
１４、１４、１４´、１４´・・・易切断線
１５・・・開孔部
１６、１６、１６、１６・・・フラップ
１７、１７´・・・舌片
１８・・・ミシン目
１９、１９´・・・差し込み片
２０、２０´・・・嵌入用切目
２１、２１´・・・ホットメルト用接着剤
２２・・・切込溝
２３・・・耳片
２４・・・切取ミシン目線
２５・・・係止突起
【図１】
0005768538.tif 000002
【図２】
0005768538.tif 000003
【図３】
0005768538.tif 000004
【図４】
0005768538.tif 000005
【図５】
0005768538.tif 000006
【図６】
0005768538.tif 000007
【図７】
0005768538.tif 000008
【図８】
0005768538.tif 000009